(57)【要約】【課題】離れて斜め上方から見ると薄く見えるように形成された天板基材において、三次元に屈曲形成された少なくとも所定の外周縁を、他の部材によって容易にかつ問題なく被覆でき、かつ、テーブルや机等に用いた場合に上記の外周縁に椅子などが当たっても被覆した上記の他の部材によって弾力性があり衝撃に強く、天板基材の外周縁を直接疵付けてしまうといった懸念もない天板を提供することを目的とする。【解決手段】天板基材２の少なくとも所定の外周縁５を、適宜の長さと上下幅の端面６と、この端面６の下端から適宜の角度で傾斜した傾斜面７とに形成し、かつ、上記の端面６を木口材８で被覆するとともに、上記の傾斜面７を固化するゼリー状の樹脂４で被覆形成した。【選択図】  図２
2006034753.tif 000002
【特許請求の範囲】
【請求項１】
天板基材の少なくとも所定の外周縁を、適宜の長さと上下幅の端面と、この端面の下端から適宜の角度で傾斜した傾斜面とに形成し、かつ、上記の端面を木口材で被覆するとともに、固化するゼリー状の樹脂で上記の傾斜面を被覆形成したことを特徴とする天板。
【発明の詳細な説明】
【技術分野】
【０００１】
本発明は各種のテーブルや机、受付台等の天板に関するものである。
【背景技術】
【０００２】
最近はオフィスにおけるパソコン等のＯＡ機器の普及により、テーブルや机等の製造・販売メーカ等においても、より機能的なデザインで、かつ、商品価値の高い斬新なデザインの天板を備えた各種のテーブルや机等が開発され販売されている。
【０００３】
これらのテーブルや机等の天板としては、例えば図５の（ａ）〜（ｄ）に示すような種々の形状のものがある。すなわち、これらの天板１０１は外周縁１０２の形状を屈曲した曲線形状に形成し、なおかつ、天板１０１の外周縁１０２を離れた位置から見た場合に厚さの薄い、デザイン的にすっきりした感じに見えるように、図６に示すように天板１０１の外周縁１０２を垂直面１０３と、垂直面１０３の下端から天板１０１の裏面方向に傾斜した傾斜面１０４とに形成してある。
【０００４】
そして、この垂直面１０３と傾斜面１０４とからなる外周縁１０２の被覆仕上げとしては、例えば、垂直面１０３に木口材１０５を貼付けるとともに傾斜面１０４を塗装仕上げしたり(図７参照)、垂直面１０３と傾斜面１０４との両面を塗装仕上げしたり(図８参照)している。
【０００５】
しかしながら、上記のような垂直面１０３と傾斜面１０４とを塗装仕上げした天板１０１や、傾斜面１０４を塗装仕上げした天板１０１では、質感が硬く、離れて見た場合に冷たい感じがし、また、塗膜が薄かったりして椅子等を天板に当てた場合に、塗料が剥がれて見栄えが悪くなり、外周縁１０２も疵付けてしまうことがある。
【０００６】
そこで、上記のような点を解消するために、図９（ａ）（ｂ）に示すように、別に成形した弾力性のある樹脂成形部材１０６を、屈曲形成した天板１０１の外周縁１０２（垂直面１０３と傾斜面１０４）に沿わせて三次元的に屈曲させ、図示のように接着したり、嵌着(図示省略)したりして取り付けている。
【０００７】
しかしながら、三次元的に屈曲形成された外周縁１０２を同時に被覆するために、樹脂成形部材１０６を外周縁１０２（垂直面１０３と傾斜面１０４）に沿わせて屈曲させ接着したり、嵌着した場合、図９（ｃ）（ｄ）に示すように外周縁１０２の各箇所で屈曲させた樹脂成形部材１０６が、無理な曲げや弾発力等によって傾斜面１０４から剥れて隙間１０７を生じさせてしまうといった問題があった。
【０００８】
なお、天板に関す先願の特許文献としては、例えば次のような文献がある。
【特許文献１】特開２０００−２７０９３１号公報
【特許文献２】特開平０７−１４３９１６号公報
【発明の開示】
【発明が解決しようとする課題】
【０００９】
本発明は、上記のような点に鑑みて開発されたものであり、離れて斜め上方から見ると薄く見えるように形成された天板基材において、三次元に屈曲形成された少なくとも所定の外周縁を、他の部材によって容易にかつ問題なく被覆でき、かつ、テーブルや机等に用いた場合に上記の外周縁に椅子などが当たっても被覆した他の部材によって弾力性があり衝撃に強く、天板基材の外周縁を直接疵付けてしまうといった懸念もない天板を提供することを目的とする。
【課題を解決するための手段】
【００１０】
本発明の天板は、上記のような目的を有効に達成するために開発されたものであり、天板基材の少なくとも所定の外周縁を、適宜の長さと上下幅の端面と、この端面の下端から適宜の角度で傾斜した傾斜面とに形成し、かつ、上記の端面を木口材で被覆するとともに、固化するゼリー状の樹脂で上記の傾斜面を被覆したことを特徴とする構成にしてある。
【発明の効果】
【００１１】
上記のような構成により本発明の天板では、テーブルや机等の商品価値を高めるためのデザインや機能に対応するために、三次元に屈曲形成された少なくとも所定の外周縁に対して、端面には木口材で被覆し、傾斜面を固化するゼリー状の樹脂で被覆することによって、全体として、三次元に屈曲形成した外周縁を木口材と樹脂とによって問題なく容易に被覆することができ、天板基材の外周縁と木口材や樹脂との間に隙間が生じることもない。
また、外周縁は端面と傾斜面とによって形成されているので、本発明の天板をテーブル等に使用した場合、斜め上方向から見たときに厚さの薄い天板基材を使用しているように見えて重い感じを見る者に与えない。
さらに、上記したように天板基材の外周縁を木口材や樹脂で被覆しているので、塗装仕上げした場合と比べて弾力性があり、椅子等が当たっても木口材や樹脂、或いは天板基材の外周縁を疵つけることもなく、天板の外観を損なう心配もなくなる。
【発明を実施するための最良の形態】
【００１２】
以下、本発明を実施するための最良の形態を図に基いて説明する。
図１〜図４は本発明にかかる一例の天板に関する図であって、この天板１は、少なくとも、パーティクルボード等からなる天板基材２と、ＰＰ（ポリプロピレン）等の合成樹脂によって形成した帯状の木口材３と、常温硬化の熱硬化性樹脂等の固化するゼリー状の樹脂によって形成される樹脂傾斜縁部４とによって構成されたものである。
【００１３】
すなわち、天板基材２は、外周縁５の少なくとも一部を屈曲形成したものである。勿論、天板基材２は全周の外周縁５を屈曲形成した形状のものであってもよい。この外周縁５は、図４（ａ）に示すように天板基材２の上面２ａに対して垂直面である所定の長さと上下幅の端面６と、この端面６に沿って端面６の下端６ａから天板基材２の下面２ｂまで適宜の角度、図示の例では３０°に傾斜した傾斜面７と、図示の例では天板基材２の下面２ｂ側に傾斜面７に繋がる水平カット部１１とからなる。
【００１４】
上記の天板基材２の端面６には接着剤を塗布して木口材３を貼り付ける（図４（ｂ）参照）。この場合、使用される木口材３の上下幅は上記の端面６の上下幅よりも広く、端面６に木口材３を貼り付けた時に、木口材３の下部３ａは端面６の下端６ａから下方に少しはみ出している。
【００１５】
そして外型８ａ内に内型８ｂを備えた型８を使用して、上記の木口材３の下部３ａ（図４（ｃ）参照）と、天板基材２の傾斜面７および水平カット部１１と、上記の内型８ｂとで囲繞される隙間部１２に、ゼリー状の樹脂を注入して固化させ、斜めに傾斜した樹脂傾斜縁部４を形成する。この樹脂傾斜縁部４は、木口材３と同じまたは略同じ厚さであり、木口材３の下部３ａ、天板基材２の傾斜面７、および水平カット部１１に接着する。
【００１６】
このようにして天板基材２の三次元の形状に形成した外周縁５は、木口材３と樹脂傾斜縁部４で被覆する。
【００１７】
なお、傾斜面７の角度は上記した３０°に限らず３０°より大きい傾斜角度または小さい傾斜角度であってもよい。また、端面６の上下幅は、天板基材２の上下幅の半分位でも、或いはこの上下幅より大きくても小さくてもよい。
【００１８】
図中の符合９、１０は、天板基材２の上面２ａ及び裏面２ｂに貼付けられた化粧板である。
【００１９】
上述のようにして形成された天板１では、この天板１をテーブルや机等の天板として使用した場合、先に説明した従来の天板基材の外周縁を塗装仕上げした天板に比べ、外周縁の質感に硬さがなく、また塗料が剥がれて見栄えが悪くなるといったこともない。また、天板基材の外周縁全体に樹脂成形部材を貼り付けたり嵌め付けたりした従来の天板に比べ、種々の三次元に屈曲形成した外周縁に対して施工が容易で手間取ることなく仕上げることができ、この従来の天板の持つ問題点も解決することができた。
【００２０】
なお、木口材は樹脂成形した帯状の部材に限らず、金属材や木材等の素材で形成したものであってもよい。また、天板基材２の傾斜面７(便宜上、図２参照)は、天板基材２に図示のような水平カット部１１を形成することなく、天板基材２の端面６の下端６ａから裏面２ｂまで傾斜した構成であってもよい。
【図面の簡単な説明】
【００２１】
【図１】本発明にかかる一例の天板の斜視図である。
【図２】本発明にかかる天板の要部を示す断面図である。
【図３】本発明にかかる天板の部分斜視図である。
【図４】本発明にかかる天板の要部の加工の流れを示す説明図である。
【図５】テーブル等に使用される種々の形状の天板を示す説明図である。
【図６】従来の天板の部分斜視図である。
【図７】従来の天板の外周縁を示す断面図である。
【図８】従来の他の天板の外周縁を示す断面図である。
【図９】従来の天板の外周縁の説明図である。
【符号の説明】
【００２２】
１      天板
２      天板基材
３      木口材
４      樹脂傾斜縁部
５      外周縁
６      端面
７      傾斜面
【図１】
2006034753.tif 000003
【図２】
2006034753.tif 000004
【図３】
2006034753.tif 000005
【図４】
2006034753.tif 000006
【図５】
2006034753.tif 000007
【図６】
2006034753.tif 000008
【図７】
2006034753.tif 000009
【図８】
2006034753.tif 000010
【図９】
2006034753.tif 000011